(57)【要約】【課題】周囲に不快感を与えることなく、使用者が快適に通話等を行うことができる無線通信端末を提供する【解決手段】通話の開始及び終了を検出する検出手段と、前記検出手段が通話開始を検出してから通話終了を検出するまでの間、開閉弁を開放する封止容器を備えた構成とし、上記封止容器には、使用者の好みに応じた香料やアロマオイル等の発香物質、あるいは、炭やトルマリン等のマイナスイオン発生物質を封止する。また、上記構成に加えて、上記開閉弁が開放している間、駆動されるモータと、上記モータに連結され、上記封止容器内に封止された気体を当該封止容器の外部に導くファンを備えてもよい。さらに、上記封止容器に代えて、前記検出手段が通信開始を検出してから通信終了を検出するまでの間に、α波を放射する電磁波放射手段を備える構成とする。【選択図】  図２
2004356821.tif 000002
【特許請求の範囲】
【請求項１】
通話の開始及び終了を検出する検出手段と、
前記検出手段が通話開始を検出してから通話終了を検出するまでの間、開閉弁を開放する封止容器と、
を備えたことを特徴とする無線通信端末。
【請求項２】
上記開閉弁が開放している間、駆動されるモータと、
上記モータに連結され、上記封止容器内の気体を当該封止容器の外部に導くファンと、
を備えた請求項１に記載の無線通信装置。
【請求項３】
上記封止容器に発香物質を封止する請求項１または請求項２に記載の無線通信端末。
【請求項４】
上記封止容器にマイナスイオン発生物質を封止する請求項１または請求項２に記載の無線通信端末。
【請求項５】
上記マイナスイオン発生物質がトルマリンである請求項４に記載の無線通信端末。
【請求項６】
上記マイナスイオン発生物質に代えて、上記検出手段が通話開始を検出してから通話終了を検出するまでの間、上記封止容器内にマイナスイオンを発生させるマイナスイオン発生手段を備えた請求項４に記載の無線通信端末。
【請求項７】
上記封止容器に代えて、上記検出手段が通話開始を検出してから通話終了を検出するまでの間、α波を放射する電磁波放射手段を備えた請求項１に記載の無線通信端末。
【発明の詳細な説明】
【０００１】
【発明の属する技術分野】
本発明は、無線通信端末に関する。
【０００２】
【従来の技術】
近年、コードレス電話、携帯電話、ＰＨＳ等の無線通信端末は、その操作性、デザイン、機能面において、様々な改善や高性能化が行われ、急速に普及している。
【０００３】
このような無線通信端末の普及が進む一方、無線通信端末を使用した長時間の通話等で、頭痛、めまい、吐き気等の不調を訴える使用者も存在している。このような不調が引き起こされる原因は、無線通信端末が通信のために使用する電磁波より発生するプラスイオンであるとされている。
【０００４】
この対策として、電磁波を直接的に遮断する試みが行われているが、他の試みとして、香料を入れる容器を備えたストラップを取り付ける、あるいは、香料を含ませたシールを貼り付ける等により、使用者が好む香りを無線通信端末から発散させて精神的ストレスの緩和を図り、快適に通話を行えるようにすることが提案されている（例えば、特許文献１、２参照。）。
【０００５】
一方、精神的ストレスを緩和する手法として、例えば、扇風機の１／ｆゆらぎ送風や、アナログ音源の１／ｆノイズ等のように、α波（安定した精神状態のときに観測される人間の脳波）の周波数である８Ｈｚから１３Ｈｚの低周波発振を含む刺激を与えることが提案されている。
【０００６】
【特許文献１】
実用新案登録第３０７９７１４号公報
【特許文献２】
実開平０５−０７６１５３号公報
【０００７】
【発明が解決しようとする課題】
しかしながら、上記従来の香りを発散する手法では、常に香りが発散されているため、香料の消耗が早く、香りを長期間持続させることは困難であった。また、人が集まる場所では、周囲の人がこの香りを不快に感じることがあるという問題もあった。
【０００８】
一方、無線通信端末は、着信待機時に比べて数倍から数十倍の電磁波を通信時に発生する。したがって、この電磁波による精神的ストレスを緩和するためであれば、常時、香りを発散させる必要はなかった。
【０００９】
本発明は、上記従来の事情に基づいて提案されたものであって、周囲に不快感を与えることなく、使用者が快適に通話等を行うことができる無線通信端末を提供することを目的とする。
【００１０】
【課題を解決するための手段】
本発明は、上記目的を達成するために以下の手段を採用している。すなわち、本願の第１の発明に係る無線通信端末は、通話の開始及び終了を検出する検出手段と、前記検出手段が通話開始を検出してから通話終了を検出するまでの間、開閉弁を開放する封止容器を備えた構成としている。
【００１１】
上記封止容器には、使用者の好みに応じた香料やアロマオイル等の発香物質を封止することができる。
【００１２】
このようにすれば、通話中に無線通信端末から使用者の好みの香りを発散させることができ、使用者の精神的ストレスを緩和することができる。また、香りの発散は、通話中に限られているため、香料の消耗を抑えることができ、香りの発生を長期間持続することができる。
【００１３】
また、上記封止容器には、炭やトルマリン等のマイナスイオン発生物質を封止してもよい。
【００１４】
これにより、通話中に無線通信端末からマイナスイオンを発散することができ、このマイナスイオンの効果により、使用者に放射される電磁波が発生したプラスイオンを中和あるいは減少することができる。特に、トルマリン鉱物を用いた場合、半永久的にマイナスイオンを発生できるため、補充を行う必要が無い。
【００１５】
また、上記構成に加えて、上記開閉弁が開放している間、駆動されるモータと、上記モータに連結され、上記封止容器内に封止された気体を当該封止容器の外部に導くファンを備えてもよい。
【００１６】
このようにすれば、封止容器内の香り、マイナスイオン等を効率的に外部に発散させることが可能となる。
【００１７】
また、このマイナスイオン発生物質に代えて、上記検出手段が通信開始を検出してから通信終了を検出するまでの間に、上記封止容器内にマイナスイオンを発生するマイナスイオン発生手段を備えた構成としても同様の効果を得ることができる。
【００１８】
本願の第２の発明に係る無線通信端末は、上記封止容器に代えて、上記検出手段が通信開始を検出してから通信終了を検出するまでの間に、α波を放射する電磁波放射手段を備える構成としている。
【００１９】
これにより、通話中に使用者に対して無線通信端末からα波が放射されるため、使用者の精神的ストレスを緩和することができる。
【００２０】
なお、本明細書において、α波とは、８Ｈｚから１３Ｈｚの周波数帯域に属する電磁波を意味する。
【００２１】
【発明の実施の形態】
以下、本発明の実施の形態を図面にしたがって詳細に説明する。
【００２２】
（第１の実施の形態）
図１は、本発明の一実施の形態である無線通信端末の正面図である。また、図２は、図１に示す無線通信端末の裏ケースを取り外した状態の内部構造を示す概略図である。
【００２３】
本発明の無線通信端末１０は、従来からある無線通信端末と同様に、略直方体をなすケース１の表面に複数のプッシュボタンからなるキー操作部２、および、ダイヤル番号等の表示を行う表示部３を備えている。
【００２４】
上記キー操作部２は、ダイヤル番号を入力するための数字ボタン群４、着呼時に通話開始を指示入力する（兼、発呼時には、入力したダイヤル番号への発呼を指示入力する）ための通話開始ボタン５、及び、通信の切断を指示入力するための通話終了ボタン６から構成されている。
【００２５】
ケース１表面の長手方向の上端付近には受話孔７が形成されており、ケース１内部の受話孔７に対応する位置に設けたスピーカ（図示せず）が発する音が、この受話孔７を介して使用者に伝えられるようになっている。また、ケース表面の長手方向の下端付近には、発話孔８が形成されており、ケース１内部の発話孔８に対応する位置に設けたマイク（図示せず）に、使用者が発した声が、この発話孔８を介して伝えられる。
【００２６】
一方、ケース裏面側の内部には、図２に示すように、電磁弁２２を備えた封止容器２１が配設されている。封止容器２１には、使用者の好みに応じた芳香剤やアロマオイル等の発香物質、あるいは、炭やトルマリン鉱石等のマイナスイオン発生物質が封止されており、容器内部には、発香物質から発生した香り、あるいは、マイナスイオン発生物質から発生したマイナスイオンなどの発散物質が蓄えられる。また、上記封止容器２１には、必要に応じて、内部に封止した発香物質、または、マイナスイオン発生物質の補充・交換が可能となるように交換口２３を備えている。なお、液漏れ等により無線通信端末１０が故障することを避けるために、上記封止容器２１内に封止する発香物質、及びマイナスイオン発生物質は、固体、または、粒体であることが好ましく、液状の物質はセラミック等の多孔質物質に含ませて封止することが好ましい。
【００２７】
また、上記電磁弁２２には、封止容器内に蓄えられた香り、または、マイナスイオンを輸送する配管２４の一端が接続されており、上記受話孔７、及び、上記発話孔８の付近に他端の開口２４ａが配設されている。
【００２８】
さらに、上記封止容器２１の内部には、容器内の発散物質を電磁弁の方向に導くファン２５が配置されており、このファン２５は、モータ２６により駆動されるようになっている。
【００２９】
上記の状態で、使用者が着呼に応答して通話開始ボタン５を押下し、通話を開始した場合、通話開始ボタン５の押下を検出した検出手段３０は、制御手段３１に通話開始信号を出力し、これを受けた制御手段３１は電磁弁２２を開放するとともにモータ２６を駆動する。
【００３０】
また、使用者が通話終了ボタン６を押下して通話を終了した場合、通話開始ボタン６の押下を検出した検出手段３０は、制御手段３１に通話終了信号を出力し、これを受けた制御手段３１は電磁弁２２を閉鎖するとともにモータ２６を停止する。
【００３１】
従って、本発明の無線通信端末１０は、使用者が通話中の場合にのみ、封止容器２１内の発散物質を受話孔７及び発話孔８から発散する。このため、使用者には、無線通信端末から使用者の頭部に比較的強い電磁波が放射される通話時に、好みの香り、あるいは、マイナスイオンが供給されることになる。
【００３２】
好みの香りが発散された場合、使用者は、電磁波による精神的ストレスを緩和することができる。また、マイナスイオンが発散された場合、マイナスイオンが、使用者に放射された電磁波により発生したプラスイオンを中和あるいは減少させるため、電磁波による精神的ストレスを緩和することができる。
【００３３】
一方、使用者が発呼を行う場合、ダイヤル番号を入力後、通話開始ボタン５を押下してから通話終了ボタン６を押下して通話を終了するまでの間、電磁弁２２が開放されるとともにモータ２６が駆動されるため、上記着呼に応答する場合と同様に、電磁波による精神的ストレスを緩和することができ、快適に通話を行うことができる。
【００３４】
また、上記の構成によれば、通話中のみ封止容器内の発散物質を放出するため、常時発散する場合に比べ、発散物質の消費量を低減することができる。さらに、通話を行わない限り発散物質は放出されないので、人の集まる場所等では、着信があっても通話を行わなければよく、発散される香りにより、周囲の人を不快と感じさせることもない。
【００３５】
なお、上記実施の形態では、封止容器内に封止した香り、または、マイナスイオンを発話孔及び受話孔から放出したが、これに限るものではなく、別途、放出専用の孔をケース１に設け、この放出孔付近に上記配管２４の開口端２４ａを配設する構成としてもよい。
【００３６】
また、上記マイナスイオン発生物質に代えて、上記検出手段が通話開始を検出してから通話終了を検出するまでの間、上記封止容器内にマイナスイオンを発生させるマイナスイオン発生手段を備えた構成としても、上記封止容器にマイナスイオン発生物質を封止した場合と同様の効果を得ることができる。
【００３７】
このようなマイナスイオン発生手段の構成は、特に限定しないが、例えば、陽極と陰極との間に高電圧を印加し、放電によりマイナスイオンを発生する構成を用いることができる。このとき、放電により放射される電磁ノイズを遮蔽するために、上記封止容器２１の材質を金属等の導電性材料とし、両電極を封止容器２１内に配設することが望ましい。
【００３８】
上記構成に必要となる高電圧の発生には、例えば、一般的に広く用いられている着火装置にあるように、チタン酸ジルコン酸鉛（ＰＺＴ）等の圧電素子に衝撃を加える、あるいは、無線通信端末１０に備えた電池から供給される電圧をトランスで昇圧する等を用いることができる。
【００３９】
（第２の実施の形態）
図４は、本発明の他の実施の形態である無線通信端末の裏ケースを取り外した状態の内部構造を示す概略図である。
【００４０】
本実施の形態の無線通信端末１０は、上記の封止容器２１、電磁弁２２、配管２４、モータ２６に代えて、α波を放射する電磁波放射手段３３を備えている点で第１の実施の形態と異なっている。他の構成は、第１の実施の形態と同様である。なお、電磁波放射手段３３には、既製の低周波発振器ＩＣ等を用いることができる。
【００４１】
上記の構成において、通話開始信号が入力された制御手段３１は、通話終了信号が検出手段３０から入力されるまでの間、電磁波放射手段３３を動作させ、α波を放射する。
【００４２】
このため、使用者には、無線通信端末１０から使用者の頭部に比較的強い電磁波が放射される通話時に、α波が供給されることになり、精神的ストレスを緩和することができる。
【００４３】
なお、上記各実施の形態では、無線通信端末を略直方体として説明したが、折りたたみ式の無線通信端末に適用できることは勿論である。
【００４４】
【発明の効果】
以上のように、本願の第１の発明の無線通信端末によると、使用者に対して比較的強い電磁波が放射される通話時に、好みの香り、あるいは、マイナスイオンが供給されるため、精神的ストレスを緩和することができ、快適に通話を行うことができる。
【００４５】
また、通話時のみに発散物質を放出する構成であるため、発散物質の消費量が少なく、作用を長期間継続することができ、人混等では、通話状態にしなければ香り等も発散されないため、周囲の人が不快感を抱くこともない。
【００４６】
また、本願第２の発明の無線通信端末によると、通話時に、α波が供給されるため、精神的ストレスを緩和することができ、快適に通話を行うことができる。
【図面の簡単な説明】
【図１】本発明を適用した無線通信端末の正面図。
【図２】本発明の第１の実施の形態を説明する概略構成図。
【図３】本発明の第２の実施の形態を説明する概略構成図。
【符号の説明】
１  ケース
２  キー操作部
３  表示部
５  通話開始ボタン
６  通話終了ボタン
１０  無線通信端末
２１  封止容器
２２  電磁弁
２４  配管
２４ａ  配管の開口端
２５  ファン
２６  モータ
３０  検出手段
３１  制御手段
３２  電磁波発生手段
【図１】
2004356821.tif 000003
【図２】
2004356821.tif 000004
【図３】
2004356821.tif 000005